(57)【要約】【課題】複数のパネル取付金物の仮固定を一度に行ない、この仮固定状態を維持したまま個々のパネル取付金物の溶接作業を行えるようにし、数多くのパネル取付金物の固定を効率良く行なう。【解決手段】複数のパネル取付金物１０を移動可能に、かつ、着脱可能に保持する長尺なカイド金物２と、鉄骨のフランジに対する固定手段を有し、前記ガイド金物を支持して、パネル取付金物をフランジに仮固定する支持金物３とからなり、フランジでのパネル取付金物１０の取付基準位置に対して見当合わせ可能な見当部を、支持金物３に設けた。【選択図】    図１
2006002366.tif 000002
【特許請求の範囲】
【請求項１】
鉄骨溶接部とパネル受け部とからなる複数のパネル取付金物を、Ｉ形鋼などの鋼材からなる鉄骨横材のフランジに沿って配置させる取付治具であって、
前記パネル取付金物それぞれを移動可能に、かつ、着脱可能に保持して、複数のパネル取付金物を一方向に配列可能にした保持部を有する少なくとも一本の長尺なカイド金物と、それぞれが前記鉄骨横材のフランジに対する固定手段を有し、前記ガイド金物の端部が着脱可能に取り付けられてガイド金物を支持して、このガイド金物が保持した前記複数のパネル取付金物を前記フランジに仮固定する少なくとも二つの支持金物とからなり、
上記フランジに該フランジの長手方向に墨出しなどによって設けられるパネル取付金物の取付基準位置に対して見当合わせ可能な見当部を、前記支持金物が備えていることを特徴とするパネル取付金物の取付治具。
【請求項２】
上記ガイド金物には、該ガイド金物の長さ方向にパネル取付金物の位置合わせ用の目盛が設けられている請求項１に記載のパネル取付金物の取付治具。
【請求項３】
上記ガイド金物の保持部は、パネル取付金物をフランジに仮固定したときの溶接予定部位から離れている上記パネル受け部を保持するものである請求項１又は２に記載のパネル取付金物の取付治具。
【請求項４】
上記ガイド金物は上記支持金物に対して上下方向に移動可能に支持される請求項１から３の何れか一項に記載のパネル取付金物の取付治具。
【請求項５】
上記ガイド金物と支持金物とが交互に連続している請求項１から４の何れか一項に記載のパネル取付金物の取付治具。
【発明の詳細な説明】
【技術分野】
【０００１】
本発明はプレキャストコンクリート製の外壁パネルなどを受けるパネル取付金物を鉄骨横材に溶接するときの仮固定を行なう取付治具に関するものである。
【背景技術】
【０００２】
従来から鉄骨造の構造物における外壁をプレキャストコンクリート製の外壁パネルとする場合、Ｉ形鋼などの鉄骨横材（梁など）に鉄骨溶接部とパネル受け部とからなるパネル取付金物を事前に溶接固定し、これに外壁パネルを掛けて固定するようにしており、この外壁パネルの取付を平面方向にまた上方に向けて繰り返すことで、効率的に外壁の形成が行えるようになってきている。
ところで、鉄骨造の建物に限られることではないが、外壁の各平面位置や垂直面位置において外壁パネルと鉄骨横材までの距離が同じであることは少ない。特に建物上階に進むに従って鋼材の大きさが小さく通り芯位置が変わることから、工場などにおいて鉄骨横材にパネル取付金物を事前に溶接しておくことができない。そのため、各作業場所で鉄骨横材のフランジに墨出ししてパネル取付金物の取付基準位置を設定し、これに基づいてパネル取付金物を仮固定してから溶接固定している。例えば、上記鉄骨横材に対してパネル取付金物それぞれを固定するとき、鉄骨横材のフランジ上面に墨を出したり糸を張ってこれに合わせてパネル取付金物を並べ置いてから溶接している。また、鉄骨横材に複数のバー支持具を間隔を置いて磁着させ、そのバー支持具の間に一本の長尺バーを水平に渡した位置決め治具にて、鉄骨横材の上に定規アングルピースを配置するようにすることが提案されている（特許文献１）。
【特許文献１】特開平１０−０２５９００公報（段落番号００２０）
【発明の開示】
【発明が解決しようとする課題】
【０００３】
しなしながら、従来からの方法では、位置を定めて並べ置いたパネル取付金物自体はフランジに対して仮止めされていないことから、容易に位置ずれしたり転がったりし易く、溶接の都度、パネル取付金物を支えなければならないという手間を要していた。そのため、数多くのパネル取付金物の固定に係る作業が非常に煩雑になるという問題があった。
そこで、本発明は上記事情に鑑み、複数のパネル取付金物の仮固定を一度に行ない、この仮固定状態を維持したまま個々のパネル取付金物の溶接作業を行えるようにすることを課題とし、数多くのパネル取付金物の固定を効率良く行なうことを目的とする。
【課題を解決するための手段】
【０００４】
本発明は上記課題を考慮してなされたもので、鉄骨溶接部とパネル受け部とからなる複数のパネル取付金物を、Ｉ形鋼などの鋼材からなる鉄骨横材のフランジに沿って配置させる取付治具であって、前記パネル取付金物それぞれを移動可能に、かつ、着脱可能に保持して、複数のパネル取付金物を一方向に配列可能にした保持部を有する少なくとも一本の長尺なカイド金物と、それぞれが前記鉄骨横材のフランジに対する固定手段を有し、前記ガイド金物の端部が着脱可能に取り付けられてガイド金物を支持して、このガイド金物が保持した前記複数のパネル取付金物を前記フランジに仮固定する少なくとも二つの支持金物とからなり、上記フランジに該フランジの長手方向に墨出しなどによって設けられるパネル取付金物の取付基準位置に対して見当合わせ可能な見当部を、前記支持金物が備えていることを特徴とするパネル取付金物の取付治具を提供して、上記課題を解消するものである。
【０００５】
そして、本発明において、上記ガイド金物には、該ガイド金物の長さ方向にパネル取付金物の位置合わせ用の目盛が設けられているものとすることが良好である。
また、本発明において、上記ガイド金物の保持部は、パネル取付金物をフランジに仮固定したときの溶接予定部位から離れている上記パネル受け部を保持するものであることが良好である。
また、本発明において、上記ガイド金物は上記支持金物に対して上下方向に移動可能に支持されるものとすることが良好である。
さらに、本発明において、上記ガイド金物と支持金物とが交互に連続しているものとすることが良好である。
【発明の効果】
【０００６】
本発明によれば、支持金物それぞれをパネル取付金物の取付基準位置に見当合わせして固定することで、この支持金物を介してガイド金物の位置も定められ、そして、カイド金物の位置が定められれば、このガイド金物に保持されているパネル取付金物それぞれの位置も、鉄骨横材の断面方向（フランジ幅方向）において定められるようになる。そして、パネル金物それぞれのガイド金物の長さ方向に沿って移動させて位置を定めることで、各パネル取付金物が仮固定された状態となる。このように複数のパネル取付金物が一度に仮固定されるため、この状態で順次パネル取付金物を鉄骨横材のフランジに溶接すればよく、数多くのパネル取付金物の溶接固定が効率よく行えるようになる。
また、支持金物とガイド金物とを必要に応じて分離できるため、取付治具を分解して運搬すれば嵩張ることがなく、狭い鉄骨横材辺りの作業場所でも安全に取付治具の据付、撤去、運搬が安全に行えるようになる。
【０００７】
本発明において、ガイド金物には、該ガイド金物の長さ方向にパネル取付金物の位置合わせ用の目盛が設けられているものとすることで、パネル取付金物の鉄骨横材での位置を目盛に基づいて容易に設定できるようになる。
また、本発明において、上記ガイド金物の保持部は、パネル取付金物をフランジに仮固定したときの溶接予定部位から離れている上記パネル受け部を保持するものとすれば、溶接装置の溶接棒や溶接ノズルを操作する範囲からガイド金物が離れるようになり、溶接棒や溶接ノズルの取回しに制限を加える度合いが小さくなって、良好な溶接をそれぞれのパネル取付金物の溶接予定部位に対して行なえうるようになる。
さらに、本発明において、上記ガイド金物は上記支持金物に対して上下方向に移動可能に支持されるものとすれば、パネル取付金物の溶接固定の後、支持金物に関わりなくガイド金物を上方に引き上げることができ、パネル取付金物からのガイド金物の取り外しが頗る容易になる。
またさらに、本発明において、上記ガイド金物と支持金物とが交互に連続しているものとすれば、長いスパンに亘って多くのパネル取付金物を配設するに際してもこの取付治具を延長してセットでき、多くのパネル取付金物の固定が容易に行える。
【発明を実施するための最良の形態】
【０００８】
つぎに本発明を図１から図５に示す実施の形態に基づいて詳細に説明する。
図中１はＩ形鋼などの鉄骨横材ＡのフランジＢにその鉄骨横材Ａの長さ方向に沿ってセットされる取付治具で、該取付治具１は複数のガイド金物２と複数の支持金物３とからなるものであり、長尺なガイド金物２と支持金物３とを交互に並べ、ガイド金物２の両端部を支持金物３に掛け止めるようにすることで、ガイド金物一本当たりを二つの支持金物３で支持した状態としているものである。なお、取付治具１として最少の組み合わせは一本のガイド金物２とこの両端部を取り付ける二つの支持金物３とかなる組み合わせである。
【０００９】
上記ガイド金物２は鋼材、アルミニウム材、チタン金属材、強化プラスチック材などから形成されている。そして、前板４とこの前板４より上下幅寸法が大きい後板５とを平行にし、前記後板５の上辺に前板４を対向させてなるものであり、前板４を後板５に対応位置させることで、断面逆Ｕ字状にして下面が開放されている保持部６を上端に沿って備えている。
この保持部６は、鉄骨溶接部８とパネル受け部９とを一体として備えるアングル材からなるパネル取付金物１０を、この保持部６の長さ方向および上下方向に移動できるようにして保持するものであり、パネル取付金物１０のパネル受け部９が保持部６に着脱可能にして嵌め入れられる。そして、前板４から後板５側に向けて突出する三つの突起７を、前板４の長さ方向に定間隔にして配置していて、保持部６に嵌め入れられたパネル取付金物１０のパネル受け部９にこの突起７が点接触して適正な保持力を加えながら、保持部６の長さ方向や上下方向にパネル受け部９を移動させ易くしている。なお、突起７の位置はパネル取付金物１０の基本的な配設ピッチに対応しており、仮固定前におおよその位置としてパネル取付金物１０のパネル受け部９が嵌め入れられてもこの突起７が前記パネル受け部９に当接するようにしている。
【００１０】
符号１１はこのガイド金物２にあっては後板５の両端側それぞれに、下端を開放して上下方向に長い切り欠き状の取付溝であり、この取付溝１１は後述する支持金物３に取り付けてガイド金物２が上下方向に移動できるようにするための働きをなす個所である。そして、ガイド金物２を上方に引き上げるだけで、この取付溝１１での支持金物３に対する取付（後述）を解除でき、支持金物３に対するガイド金物２の着脱を容易にする。
【００１１】
支持金物３も上記ガイド金物２と同じように、鋼材、アルミニウム材、チタン金属材、強化プラスチック材などから形成されているものである。図３に示すようにアングル状にしてフランジ据付部１２とこのフランジ据付部１２から立ち上げられる縦板部１３とを備えた本体１４と、フランジ据付部１２に設けられた固定手段１５と、縦板部１３に設けられた一対の蝶ボルト１６とからなるものである。
上記固定手段１５は、前記フランジ据付部１２の本体屈曲部分側に開口した透孔１７にＣ形部材１８を通して、そのＣ形部材１８のフランジ据付部１２上に出ている上端にボルト１９を螺合貫通させ、ボルト１９の下端をフランジ据付部１２の上面側に当接させ、このボルト１９の締め付け方向の螺合回転操作で、フランジ据付部１２の下に出ているＣ形部材１８の下端とフランジ据付部１２とにより鉄骨横材ＡのフランジＢを挟み込むものであり（図４参照）、前記ボルト１９を緩める方向に螺合回転操作すれば、前記フランジ据付部１２とＣ形部材１８の下端との間が開いてフランジＢから取り外すことができる。
縦板部１３の背面の上記蝶ボルト１６が位置する部分に上記ガイド金物２の取付溝１１が対応するようにして、ガイド金物２の後板５の端部が支持金物３の縦板部１３に重ね合わされ、蝶ボルト１６の締め付けによって支持金物３の縦板部１３とガイド金物２の後板５とが連結している。そして、保持部６に複数のパネル取付金物１０を保持させ、それらのパネル取付金物１０をフランジＢに設置させた状態としてから、蝶ボルト１６を締め付けるようにするものである。また、取付溝１１が上下方向に長く開口しているため、蝶ボルト１６を緩めた状態でガイド金物２を上下方向に移動させ、ガイド金物２を任意の高さ位置として蝶ボルト１６を締め付けることができるようになっており、ガイド金物２を任意の高さ位置で位置決めすることができる。
さらに支持金物３のフランジ据付部１２には後述する対の透孔からなる見当部２０が設けられていて、この見当部２０を利用して支持金物３自体の位置合わせを行なうようにする。
なお、固定手段１５の構成、ガイド金物２を支持金物３に上下移動可能にして取り付けるための構成、見当部２０の構成は上記実施の形態に限定されるものではない。
【００１２】
上記カイド金物２と支持金物３とからなる本取付治具１を用いて上記パネル取付金物１０を所定位置に仮固定するには、図４に示すように、支持金物３の固定手段１５により鉄骨横材ＡのフランジＢに固定する。この支持金物３それぞれの固定に際して、フランジＢの上面にはパネル取付金物１０の鉄骨溶接部８の前縁位置を示す取付基準位置Ｃが墨出しによって事前に設けられていて、この取付基準位置Ｃが上記見当部２０から見えるように見当合わせする。なお、前記見当部２０の位置は、ガイド金物２を支持金物３に支持させたとき、対の見当部２０で設定される直線を含む垂直面に、ガイド金物２に保持されているパネル取付金物１０それぞれの前縁が位置するように設けられている。
また、支持金物３の鉄骨横材Ａの長さ方向での位置を定め易くするため、事前に支持金物３の取付基準位置Ｄが上記パネル取付金物１０の取付基準位置Ｃに直交する対の墨として設けられており、取付基準位置Ｃと取付基準位置Ｄとの交点が上記見当部２０で目視確認して位置合わせする。
【００１３】
上述のようにして支持金物３を固定した後に、上記保持部６にパネル受け部９を嵌め入れた状態で複数のパネル取付金物１０を保持するガイド金物２を、二つの支持金物３に架け渡すようにして取り付ける。このときガイド金物２の取付溝１１を支持金物３の蝶ボルト１６に合わせ、取付溝１１に前記蝶ボルト１６が入り込むようにして支持金物３の縦板部１３の背面にガイド金物２の後板５の端部を重ね、各パネル取付金物１０がフランジＢに設置させた状態で蝶ボルト１６を締め付けて固定する。上述したように支持金物３は見当部２０によって見当合わせされ、また、その見当部２０の位置を通る垂直平面にパネル取付金物１０の前縁が対応位置するように設定されていることから、この時点で各パネル取付金物１０は、鉄骨横材Ａの断面方向での位置合わせが完了した状態でフランジＢの上面に位置することになる。
ガイド金物２には図２に示すように後板５のパネル取付金物１０が位置する側の面に目盛２１が設けられており、フランジＢに設置させた後には、この目盛２１を目安にしながらガイド金物２に沿って各パネル取付金物１０を所定位置に移動させる。この移動が終了した時点で各パネル取付金物１０の位置設定作業が完了することになる。
【００１４】
この状態で取付治具１は複数のパネル取付金物１０をそれぞれ所定位置で仮固定しているものとなっており、溶接装置によってそれぞれのパネル取付金物１０の鉄骨溶接部８とフランジＢとを溶接する。この溶接に際しては、すべてのパネル取付金物１０が位置ずれしたり回転したり（図１矢印Ａ）せず、また、転がったりもしないので、溶接予定部位に対して順次溶接を行なえばよく、多くのパネル取付金物１０の固定に係る作業が効率良くなる。
この溶接作業が終了すれば、蝶ボルト１６を緩めてガイド金物２を支持金物３から取り外し、そして固定手段１５でのフランジＢに対する固定を解いて支持金物３をフランジＢから取り外す。これによってそれぞれ所定位置にパネル取付金物１０を溶接固定作業が終了し、他の鉄骨横材に対して本取付治具を用いながら上述した手順にてパネル取付金物の仮固定、溶接を行なう。
【００１５】
パネル取付金物の固定で利用する取付治具１を、上記実施の形態では、ガイド金物２と支持金物３とを交互に並べた複数のガイド金物２と複数の支持金物３とからなるものとして説明しているが、本発明はこれに限定されるものではなく、一本のガイド金物２と二つの支持金物３とからなる組み合わせであってもよく、現場での状況に応じて適宜に変更できるものである。
【図面の簡単な説明】
【００１６】
【図１】本発明に係るパネル取付金物の取付治具の一例の鉄骨横材に対する設置状態を示す説明図である。
【図２】一例におけるガイド金物を示すもので、（イ）は上面を示す説明図、（ロ）は背面を示す説明図、（ハ）は正面を示す説明図、（ニ）は側面を示す説明図である。
【図３】一例における支持金物を示すもので、（イ）は前方から見た状態を示す説明図、（ロ）は上方から見た状態を示す説明図、（ハ）は側方から見た状態を示す説明図である。
【図４】フランジに取り付けた状態を示す説明図である。
【図５】フランジにパネル取付金物を仮固定した状態を示す説明図である。
【符号の説明】
【００１７】
Ａ…鉄骨横材
Ｂ…フランジ
Ｃ…（パネル取付金物の）取付基準位置
Ｄ…（支持金物の）取付基準位置
Ｅ…（図６の）取付基準高さ位置
１…取付治具
２…ガイド金物
３…支持金物
６…保持部
１０…パネル取付金物
１１…取付溝
１２…フランジ据付部
１３…縦板部
１４…本体
１５…固定手段
１６…蝶ボルト
２０…見当部
２１…目盛
【図１】
2006002366.tif 000003
【図２】
2006002366.tif 000004
【図３】
2006002366.tif 000005
【図４】
2006002366.tif 000006
【図５】
2006002366.tif 000007